(57)【要約】      （修正有）【課題】水素を水素エネルギー発生機に供給するように設計された軽量の加水分解可能なヒドリド系燃料生成システムの提供。【解決手段】ポリマー材料に分散した複数の少なくとも１種類の加水分解可能なヒドリド粒子を含む、加水分解可能なヒドリドゲル材料２０８と、加水分解可能なゲル材料２０８を保持する、加水分解可能なヒドリドゲルカートリッジ２０２と、入口２１２と出口２１６を有し、入口２１２が、水又は水蒸気のうち少なくとも１つを受け入れるように構成され、出口２１６が、水素ガス２３０が出て行くように構成される加水分解機２１０とを備える、水素製造システム２００。【選択図】図２
2017001939.tif 000002
【特許請求の範囲】
【請求項１】
水素製造システムであって、
ポリマー材料に分散した複数の少なくとも１種類の加水分解可能なヒドリド粒子を含む、加水分解可能なヒドリドゲル材料と；
前記加水分解可能なゲル材料を保持する、加水分解可能なヒドリドゲルカートリッジと；
入口と出口を有し、入口が、水および水蒸気のうち少なくとも１つを受け入れるように構成され、出口が、水素ガスが出て行くように構成される加水分解機とを備える、水素製造システム。
【請求項２】
前記加水分解可能なヒドリドゲル材料が、疎水性モノマーと親水性モノマーの混合物を使用する、請求項１に記載のシステム。
【請求項３】
前記加水分解可能なヒドリドゲル材料は、前記複数の加水分解可能なヒドリド粒子の少なくとも一部の反応のタイミングを制御するために、前記複数の加水分解可能なヒドリド粒子の少なくとも一部が、疎水性モノマーおよび親水性モノマーに対し、所定の位置に配置されるように調整された材料である、請求項２に記載のシステム。
【請求項４】
一体化された発電システムであって、
水素製造システムと；
水素ガスを受け入れるように構成された燃料セルと；
水素製造に使用するための加水分解機の入口に燃料セルを戻す操作によって作られる水および水蒸気のうち少なくとも１つを再利用するように構成された再利用システムとを備え、
前記水素製造システムが、
ポリマー材料に分散した複数の少なくとも１種類の加水分解可能なヒドリド粒子を含む、加水分解可能なヒドリドゲル材料と；
前記加水分解可能なヒドリドゲル材料を保持する、加水分解可能なヒドリドゲルカートリッジと；
入口と出口を有し、入口が、水および水蒸気のうち少なくとも１つを受け入れるように構成され、出口が、水素ガスが出て行くように構成される前記加水分解機とを備える、一体化された発電システム。
【請求項５】
水蒸気が燃料セルに加えられるのを止めるために配置された水蒸気分離機をさらに備える、請求項４に記載の一体化された発電システム。
【請求項６】
燃料セルの操作によって発生する水および水蒸気のうち少なくとも１つを受け入れ、水および水蒸気のうち少なくとも１つを操作時に前記加水分解機と接触するように移動させ、前記加水分解機を冷却するように構成された冷却システムをさらに備える、請求項４に記載の一体化された発電システム。
【請求項７】
前記冷却システムが、前記加水分解機と物理的に接触する熱交換器をさらに備える、請求項６に記載の一体化された発電システム。
【請求項８】
親水性モノマーと疎水性モノマーの混合物に分散した加水分解可能なヒドリド粒子と、加水分解可能なヒドリド粒子とは反応しないラジカル重合開始剤とを含む、硬化性材料配合物。
【請求項９】
硬化性材料配合物は、
あらかじめ作られた型に複数の加水分解可能なヒドリド粒子を置き；
前記型に親水性モノマーと疎水性モノマーの混合物およびラジカル重合開始剤を吹き込み、分子間ギャップを埋め；
前記混合物を硬化させ、固体ポリマーコンポジット材料を製造することによって作られる、請求項８に記載の硬化性材料配合物。
【請求項１０】
加熱することによって、または硬化剤と接触させることによって前記硬化が行われる、請求項９に記載の硬化性材料配合物。
【発明の詳細な説明】
【技術分野】
【０００１】
本出願は、エネルギー製造に関し、さらに具体的には、制御された水素製造に関する。
【背景技術】
【０００２】
エネルギーを必要とする装置（特に、携帯用装置、例えば、無人航空機（ＵＡＶ）、通信機器、測位機器、センサおよび観察機器を含む）は、電力のために電池または化石燃料に依存する。一般的に、電池は、ゼロエミッションであり、静かであり、一般的に爆発の危険性が低いため、現時点で化石燃料より好ましい。残念ながら、電池の技術状況（例えば、Ｌｉイオン）は、化石燃料と比較すると、エネルギー密度がかなり低い。例えば、Ｌｉイオン電池１ｋｇのエネルギー量は、わずか０．１５ｋＷｈであり、これは、ガソリン１ｋｇのエネルギー量の〜７０分の１の低さである。電池の重量および大きさも、有用性を制限している。
【０００３】
水素ガスは、有害な廃棄物を生成することなく、燃料として使用することができ、理論的に、最もエネルギー密度が高く、効率的な燃料源である（３３ｋＷｈ／Ｋｇ）。しかし、圧縮された水素には、顕著な体積に関する欠点があり、電源として実施するには安全性や充填の課題がある。
【０００４】
水素燃料の別の形態は、ヒドリドの使用によって作られる。第１の手法において、化学ヒドリドは、熱によって活性化される化学分解反応によって水素ガスを生成する。アンモニアボランのようなヒドリドを組み込んだシステムは、最近報告されており、例えば、米国特許出願公開第２０１４／０１７８２９２号（Ｓｔｅｐｈｅｎ  Ｂｅｎｎｉｎｇｔｏｎら）で報告されている。しかし、これらのシステムは、水素製造を活性化するために熱を与える必要があるため、欠点がある。この材料に貯蔵されるすべての水素を放出することは非常に困難である。特に、最後の水素分子の放出は、４００℃（摂氏）を超える非常に高い温度を必要とする。このシステムの設計は、さらに、さらなる加熱ユニットを提供する必要があり、システムの複雑さが高まるという欠点がある。８０℃未満の低温でさえ水素ガスをゆっくりと放出し、ユーザに爆発および発火の危険性を与えるため、アンモニアボランに関する安全性の問題もある。
【０００５】
第２の手法において、水素ガスは、金属ヒドリドと水とを反応させることによって作られる。水と反応するとき、金属ヒドリドの水素発生能力は際だっている。このシステムは、化学ヒドリド方法と比較すると、水素ガスの半分が金属ヒドリドから得られ、一方、他の半分が、ヒドリドと反応する水から得られるため、有益である。水は、一般的に、金属ヒドリドと比較すると、容易に入手でき、安価である。しかし、単に金属ヒドリドに水を加えるのは、水との極端な反応性によって爆発および発火が生じ得るため、安全ではないだろう。従って、水素放出材料として直接的に使用することはできない。また、湿度感受性および他の問題に起因して、取り扱うのも安全ではない。安定化された金属ヒドリド系への成功した手法の１つは、水素化ホウ素ナトリウム系を用いて示されている。この安定化された系は、水に溶解した濃度が約２０％までの水素化ホウ素ナトリウムの溶液として与えられ、約３％の水酸化ナトリウムによって安定化されている。水素化ホウ素ナトリウムは、水酸化物によって可能な塩基性ｐＨでは水と反応しない。この系は、触媒によって活性化されると、水素を発生する。残念ながら、ヒドリドの実施は、貯蔵密度が非常に小さく、特に、燃料全体の重量の大部分が水であるという事実に起因して、最良でも数重量％の範囲に入っている。この大量の水の必要性は、他の必要な装置と共に、システムの重量を増やし、このことも、水素化ホウ素ナトリウム系のエネルギー密度が低い理由の１つとなる。
【０００６】
限定されないが、携帯型の装置を含め、エネルギーを必要とする装置と共に使用可能な軽量かつ安全な燃料が必要とされる。
【発明の概要】
【課題を解決するための手段】
【０００７】
今日、エネルギーを必要とする装置は、一般的に、電力のための電池に依存している。電池の過剰な重さおよび大きさは、その性能をひどく制限する。本明細書には、水素系のエネルギー発生機への水素ガスの供給に使用するための、超高容量の加水分解可能なヒドリドゲルカートリッジを含む軽量の携帯可能なエネルギーシステムが記載される。生成した水素ガスの流れは、カートリッジのポリマーゲル封入剤中の親水性および疎水性の内容物の量を調整することによって、加水分解可能なヒドリドと水との反応性を制御することによって達成される。従来の水系水素化ホウ素ナトリウムシステムとは異なり、本発明の実施形態は、完全な加水分解にちょうど必要な量またはこれよりわずかに多い量の水を使用する。
【図面の簡単な説明】
【０００８】
【図１Ａ】図１Ａは、本発明の概念にかかる水素製造システムを組み込んだ完全に一体化された電力システムを示す。
【図１Ｂ】図１Ｂは、本発明の概念にかかる水素製造システムおよび燃料セルを組み込んだ完全に一体化された電力システムを示す。
【図２】図２は、本出願の概念にかかる水素製造システムの一実施形態である。
【図３】図３は、燃料セルを供給する水素製造システムの本発明の概念のさらなる実施形態を示す。
【図４Ａ】図４Ａは、本発明の概念の移動型の実施形態の前面図を示す。
【図４Ｂ】図４Ｂは、本発明の概念の移動型の実施形態の側面図を示す。
【図４Ｃ】図４Ｃは、本発明の概念の移動型の実施形態の分解図を示す。
【図５Ａ】図５Ａは、本発明の概念の移動型の実施形態の水平方向の実施を示す。
【図５Ｂ】図５Ｂは、本発明の概念の移動型の実施形態の水平方向の実施を示す。
【図６】図６は、本発明の概念の移動型の実施形態の外形に沿った態様を示す。
【図７】図７は、種々の水素燃料のエネルギー密度の特徴を示す図である。
【図８】図８は、本発明の概念に従う制御されたゲルの膨潤を示す。
【図９】図９は、操作中の加水分解機と加水分解可能なヒドリドゲルカートリッジベース部材の切断図を示す。
【図１０】図１０は、加水分解可能なヒドリドゲルカートリッジベース部材の構造の代替的な図を示す。
【図１１】図１１は、型の使用によって作られる加水分解可能なヒドリドゲルの一実施形態を示す。
【図１２】図１２は、孔および／または経路を含む加水分解可能なヒドリドゲルの一部を示す。
【図１３】図１３は、型の使用によって経路を有するように作られた加水分解可能なヒドリドゲルの一部を示す。
【図１４】図１４は、加水分解可能なヒドリド材料を用いて作られた平板を示す。
【発明を実施するための形態】
【０００９】
既存のエネルギーを必要とする装置、特に、このような携帯用装置は、電池および電力のための他の燃料に依存している。欠点の中で、特に、電池の過剰な重量および大きさは、その性能をひどく制限する。他の燃料は、高い燃焼性および爆発の問題を有するガソリンのように、それ自体が欠点を有する。
【００１０】
従って、本出願は、水素を水素エネルギー発生機（限定されないが、燃料セルおよび水素系の内燃機関）に供給するように設計された軽量の加水分解可能なヒドリド系燃料生成システムを開示し、上述の装置に電力を供給する。
【００１１】
水素製造システムにおける加水分解可能なヒドリドの反応性は、親水性と疎水性の内容物を用いることによって制御され、この内容物は、ポリマーゲル（例えば、硬化した）封入剤中で調整されている。本明細書で使用される場合、調整とは、親水性材料と疎水性材料の比率が、特定の実施に依存して特定の量で含まれることを意味することを意図している。
【００１２】
本出願のシステムおよび方法は、電力を製造するための水素に適合性のシステムと組み合わせて使用される水素ガスを製造するための水および／または水蒸気と合わせて、加水分解可能なヒドリドゲル材料の使用を組み込む。一実施形態において、加水分解可能なヒドリドゲルは、懸濁物材料に分散した加水分解可能なヒドリド粒子からなる。加水分解可能なヒドリド粒子は、限定されないが、金属ヒドリドおよび／または金属水素化ホウ素粒子であってもよく、懸濁物材料は、限定されないが、ポリマー材料であってもよい。加水分解可能なヒドリドゲルがシステムに組み込まれ、水および／または水蒸気の添加に対し、反応における水素の制御された流れを作り出す。
【００１３】
図１Ａおよび１Ｂを見ると、本出願にかかる一体化された電力システムの変形例１００、１５０が示される。図１Ａに注目すると、水素製造ユニット（または加水分解機）１０２からなるシステム１００が示され、その中に、加水分解可能なヒドリドゲルカートリッジ１０４が入っている。水素製造ユニット１０２は、流量制御弁１１０、水圧センサ１１２によって検知される水監視弁１１２によって、重量または体積によって制御された流量によって計量されるか、または圧力勾配によって流される液圧アキュムレータ１０６からの水（液相または蒸気相）を与える入口１０２ａを備えている。水素製造ユニット１０２の中で、加水分解可能なヒドリドゲル材料が水と反応し、水素ガスが生成する。水素ガスは、水素製造ユニット１０２を出て、水分制御膜１１６および水素監視弁１１８を介し、水素バッファーまたは蓄積タンク１１４に移動する。水素バッファーまたは蓄積タンク１１４から、水素圧力センサ１２８によって検知される水素制御弁１２２、水素圧制御器１２４および水素流量制御器１２６を介し、水素ガスが制御可能な様式で燃料セル１２０に供給される。従って、水素ガスの圧力および流れは、水素製造ユニット（加水分解機）１０２に加えられる水の速度を制御する制御ループによって、燃料セル１２０に投入される。
【００１４】
図１Ａは、さらに、燃料セル１２０の操作によって生成する水の出口として作用する水（水蒸気）出口１３０と、液圧アキュムレータの気体入口１３２とを示す。液圧アキュムレータ１０６は、袋部１０６Ａに水（水蒸気）を蓄えるように設計されることを注記しておく。この構造は、スタートアップ時に、所定体積の水が袋部１０６Ａに加えられ、気体の背圧が実質的にゼロになるように設計される。次いで、液圧アキュムレータ１０６の気体側が、外側の気体圧力源（図示せず）から加圧される。通常の操作中、この水圧は、水素製造ユニット１０２で発生する圧力より高いだろう。一実施形態において、適切な圧力バランスを確保するために、水圧センサ１１２によって液圧アキュムレータの出口で圧力が測定される。液圧アキュムレータ１０６が加圧された袋部配置として示されているが、限定されないが、水を供給するためにポンプまたは重力を使用する水貯蔵部を含め、水供給のための他の構造が考慮されることが理解されるべきである。
【００１５】
図１Ｂに移り、別の一体化された電力システム１５０の実施形態が示され、これは、図１Ａに類似しているだけではなく、燃料セルからの水（水蒸気）を再利用するように構成された水再利用システムと、水素製造ユニット（加水分解機）を冷却するために水（水蒸気）を使用する冷却システムとを備えている。
【００１６】
引き続き図１Ｂに注目し、燃料セルの操作から燃料セル１２０によって生成する水は、出口１３０から捕捉され、フィードバックまたはリサイクルライン１５２に運ばれる。このフィードバックまたはリサイクルライン１５２は、水（水蒸気）をポンプ１５４に運び、戻り水熱交換器１５６を通って水が移動し、製造ユニット（加水分解機）１０２と操作によって接触し、および／または物理的に接触する。一実施形態において、熱交換器１５６は、製造ユニット（加水分解機）１０２の外側表面に接続した一連の管である。燃料セル１２０からの水は、一般的に、製造ユニット（加水分解機）１０２によって発生する熱より温度が低い。水（水蒸気）を熱交換器１５６を通して移動することによって、製造ユニット（加水分解機）１０２の温度を下げることができる。本実施形態に示される熱交換器は、単なる一例であり、他の熱交換器の形状を使用してもよいことが理解されるべきである。
【００１７】
引き続き図１Ｂに注目し、次いで、熱交換器１５６からの水が、フィードバックまたはリサイクルライン１５２のさらなる部分に運ばれ、水流量制御弁１０８によって水素製造ユニット（加水分解機）１０６に向かう。代替的な実施形態において、フィードバックまたはリサイクルライン１５２は、流量制御弁１０８に直接向かい、熱交換器は実装されていないか、または実装されている場合に、再生された水（水蒸気）を使用しないことが理解されるべきである。さらに、水流量制御弁１０８に向かう代わりに、再生された水（水蒸気）は、水素製造ユニット１０２に注入する準備ができるまで、液圧アキュムレータ１０６中に貯蔵されていてもよい。
【００１８】
図２に移り、本出願の教示にかかる加水分解可能なヒドリドゲル系システム２００の一実施形態が示される。最初に、図２において、種々の段階で示される使い捨ての加水分解可能なヒドリドカートリッジ２０２が示される。カートリッジ２０２は、キャップまたは上部分２０４と、カートリッジ本体またはベース部材２０６とを備えている。カートリッジ２０２は、カートリッジベース部材２０６が使用されるとき、カートリッジベース部材２０６から取り外し可能なキャップ２０４を有するように構成される。その他の方法で、キャップ２０４は、カートリッジベース部材２０６の中にみられる加水分解可能なヒドリドゲル２０８の貯蔵一貫性を与えるように接続し、維持される。加水分解可能なヒドリドゲルに関するさらなる記載を以下に示す。
【００１９】
操作中、カートリッジベース部材２０６は、加水分解ユニット２１０に接続する。この実施形態において、密に接続するためのねじ状の雄／雌配置を有する加水分解機およびベース部材が示される。しかし、密に係合させるための任意の他の既知の様式、例えば、限定されないが、要素２０６と２１０を保持するクランプ、スナップなどが適切な場合があることが理解されるべきである。図２の実施形態において、カートリッジ２０２は、カートリッジベース部材２０６を加水分解機２１０から取り外し、他のカートリッジを接続してもよいため、使い捨てであると考えられてもよいことが理解されるべきである。しかし、このことは、加水分解機およびカートリッジベース部材２０６が単一のユニットとして作られるという教示を除外しない。
【００２０】
加水分解機２１０に引き続き注目すると、入口２１２、２１４および出口２１６が提供される。２個の入口が示されており、１個の出口が示されているが、これに限定する意図はなく、加水分解機は、特定の実施のために適切な場合、さらなる入口および／または出口を有していてもよいことが理解されるべきである。
【００２１】
図２に引き続き注目すると、カートリッジ本体２０６と加水分解機２１０の組み合わせがシステム内に配置され、貯蔵部２１８、２２０からの水が、制御部２２６、２２８の制御下、ポンプ２２２、２２４によって圧送され、入口２１２、２１４を通って加水分解機２１０の内側を流れる水流が制御される。水の供給は、水と、加水分解可能なヒドリドゲル２０８との化学反応を開始させ、出口２１６を介して出て行く水素ガス２３０を発生し、これが水素系のエネルギー発生機２３２に受け入れられ、この水素を操作に使用する。「水」という用語が本明細書で使用される場合、「水蒸気」を含むことも意図していることを理解すべきである。
【００２２】
水素系のエネルギー発生機２３２は、多くの特定のシステムの１つであってもよく、例えば、特に、水素系燃料セル、水素内燃機関であってもよいことを注記しておく。
【００２３】
図３に移り、さらに具体的なシステム３００が示され、システム３００は、水素燃料セル（例えば、ＰＥＭ−Ｈ２）３０２として実装される図２の水素系のエネルギー発生機２３２を備えている。この実施形態において、燃料セル３０２は、空気または酸素を受け入れるための入口３０４と、既に記載したプロセスによって作られる水素ガス２３０を受け入れるための第２の入口３０６とを備えている。燃料セル３０２は、水蒸気、空気および熱のための出口３０８も備えている。ＤＣ力の形態で燃料セル３０２によって発生する電気エネルギーは、ＤＣ出力端子３１０によって出力される。
【００２４】
図３の代替的な実施形態において、燃料セルの仕様に依存して、燃料セルの操作のために乾燥した水素が必要となる場合がある。この状況において、燃料セル３０２に到達する前に、水素透過性膜（しかし、水蒸気遮蔽特性を有する）３１２が、場合により、水素ガスの経路に配置されてもよい。
【００２５】
図２および３の制御部は、特に、工業用制御部、コンピュータに基づく制御システムを含む多くの制御システムのいずれかであってもよいことを理解すべきである。制御部２２６、２２８は、既に示した加水分解機の入口（２１２、２１４）に運ぶために水がポンプ２２２、２２４によって貯蔵部２１８、２２０から移動する速度を決定するように作用する。貯蔵部、ポンプ、制御部が別個のシステムとして示されているが、これらが単一のシステムに一体化されていてもよく、または、種々の組み合わせで、または個々に与えられる複数の個々の要素を有していてもよいことが理解されるべきである。
【００２６】
カートリッジベース部材２０６と加水分解機２１０を組み合わせた図２および３の構造は、固定型および移動型の実施形態を両方とも表すと理解される。例えば、固定型の実施形態において、貯蔵部２１８、２２０、ポンプ２２２、２２４および制御部２２６、２２８の少なくとも１つが外部に配置され（すなわち、カートリッジベース部材２０６と加水分解機２１０を組み合わせた配置と一体化されていない）、一方、移動型の実施形態において、水貯蔵部２１８、２２０の少なくとも１つが、当該技術分野で知られているように必要な任意の必要な弁、ポンプおよび／または制御部と共に、カートリッジベース部材２０６と加水分解機２１０を組み合わせた配置と一体化されている。
【００２７】
移動型の実施形態のさらに具体的な実施例を図４Ａ、４Ｂおよび４Ｃの配置４００によって示す。図４Ａおよび４Ｂに注目すると、加水分解機４０４と、この実施例では加水分解機４０４の上部に配置される一体化された水貯蔵部または供給部４０６と組み合わせた状態で、カートリッジベース部材４０２が示される。加水分解機４０４および水貯蔵部または供給部４０６は、固定された接続関係で与えられ、単一の永久的なユニットとして部品を形成することによって、または、脱着可能な構造（例えば、スナップ接続部、接続部のねじまたは他の既知の配置）を含むように構築された部品を有することによって達成されてもよい。
【００２８】
図４Ａおよび４Ｂには、一体化された制御配置４０８も示され、水を移動し、および／または水の移動を制御するために必要となり得る任意の弁、ポンプ、制御部分および配置を含むことが理解される。この実施形態において、カートリッジベース部材４０２は、図２および３に関連して記載したものと同様の加水分解可能なヒドリドゲル４１０（切断された状態で示される）を含む。カートリッジベース部材４０２に対し、加水分解ユニット４０４の片側に沿って下側に水輸送管４１２に接続し、水貯蔵部または供給部４０６からの水を運ぶ水貯蔵部または供給部４０６が示される。この実施形態において、図４Ｃにもっと明確に示されるように、カートリッジベース部材４０２および管４１２は、両方とも、開口部４１４、４１６を有し、これらの開口部は、管４１２からの水がカートリッジベース部材４０２の内側を通るように互いに整列している。水が入ると、水と、加水分解可能なヒドリドゲル４１０との反応が制御された様式で開始する。この実施形態において、開口部４１６を開口部４１４の方に移動し、あり得る水漏れを減らす。
【００２９】
この実施形態からもわかるように（特に、図４Ａおよび４Ｂ）、開口部４１４、４１６は、カートリッジベース部材４０２の水平方向および垂直方向の両方にみられ、側面に沿って、カートリッジベース部材４０２の底部から上側に、水がカートリッジベース部材４０２に入る。開口部が、示されている以外の他の位置に配置されていてもよいことを理解すべきである。さらに、開口部は、カートリッジベース部材４０２への望ましい流れを与えるような様式で、互いに大きさが異なっていてもよい。例えば、カートリッジベース部材４０２の底部（水平位置に）の近くの管４１２に配置される開口部の対４１４および４１６は、一実施形態において、管４１２の垂直部分にある開口部の対４１４、４１６よりも小さい。言い換えると、開口部の大きさおよび位置は、特定の実施のためにカートリッジベース部材４０２への望ましい流れを作り出すように調整されるべきである。図４Ａ、４Ｂおよび４Ｃは、１つの実施形態に関するものであり、移動型の実施形態が変形例を含んでいてもよいことが理解される。
【００３０】
非限定的な例として、図４Ａ、４Ｂおよび４Ｃの管４１２のように、水の移動のために使用される水輸送管は、カートリッジベース部材４０２および／または加水分解機４０４の内側に配置されていてもよい。さらに、図４Ａ、４Ｂおよび４Ｃの配置は、完全に、または少なくとも部分的に水の流れを与えるために重力の使用を含む。しかし、図２および３に記載されるようなポンプ、弁、制御部の実装によって、水の流れが与えられてもよく、および／または制御されてもよく、移動型の実施形態の一部として一体化される。
【００３１】
図４Ａおよび４Ｂにおいて、水素燃料出口４１８が示されることを注記しておく。これにより、発生した水素ガスが、水素燃料系の発生機または図２および３と関連して既に記載したような他のデバイスを通過する。上の記載および図面は、特定の位置にある水の入口および燃料の出口を示しているが、これらの入口および出口は、特定の位置に配置されており、特に、特定の実施に最も適した数で配置されていることが理解され、上述のことは、いかなる様式にも限定することを意図していない。
【００３２】
図５Ａに最初に注目すると、水平方向の水素製造システム５００は、カートリッジベース部材５０２を備えるように構成され、カートリッジベース部材５０２は、加水分解機５０４との関係で使い捨てであってもよく、使い捨てでなくてもよい。水貯蔵部または供給部５０６は、カートリッジベース部材５０２に対し、使い捨ての関係で、または使い捨てではない関係で接続された状態で示される。一体化されたポンプ５０８および制御部５１０も含まれる。水貯蔵部または供給部５０６からの水が、水輸送管５１２に圧送される。この実施形態で並べられるように、管５１２は、カートリッジベース部材の開口部５１６と合う開口部５１４を有する（上の図４Ｃと関連して記載したものと同様の様式で）。水は、管５１２を通って圧送され、上の実施形態に記載されるように、水が、加水分解可能なヒドリドゲル５１８（切断された状態で）との反応を開始するように、カートリッジベース部材５０２の内側に分散する。水素ガスが加水分解機５０４で作られ、出口５２０を介して適切な様式で出て行く。管５１２への流れを制御するために、弁５２２が与えられる。
【００３３】
この水平方向の構造は、固定型および移動型または携帯型の機械に接続するのに有用である。しかし、その設計が低いプロフィールを与えるため、携帯型の機械（例えば、ドローンまたは他の移動車両）にとって特に有用性がある。
【００３４】
図５Ｂに移り、水平方向の水素燃料発生システム５５０の代替的な実施形態が示される。この実施形態において、同様の構造の水平方向のプロフィールを有するカートリッジベース部材５５２および加水分解機５５４が存在する。しかし、この実施形態において、水貯蔵部または供給部５５６は、カートリッジベース部材５５２および加水分解機５５４の上に配置される。これにより、重力によって水の移動に影響が及ぼされる。しかし、これに代えて、水の移動を補助するために、ポンプ５５８および制御部５６０が与えられてもよいことも示される。上述の図と同様に、水輸送管５６２は、水貯蔵部または供給部５５６に接続する。この管は、カートリッジベース部材５５２の開口部５６６に対応する開口部５６４を有する。水がカートリッジベース部材５５２へと移動するにつれて、加水分解可能なヒドリドゲル５６８との反応が起こる。水素燃料出口５７０は、加水分解機５５４で発生した水素燃料の流れを、移動型のシステムの外側に移動する。管５６２への水の流れを制御する弁５７２を備えるシステム５５０も示される。水の流れを制御するために、このような弁の配置が図５Ａに含まれていてもよく、開口部５１４、５１６および５６４、５６６と共にさらなる弁が与えられてもよいことも理解すべきである。
【００３５】
さらに、以前の実施形態と共に記載されるように、上述の実施形態を種々の様式で改変してもよく、本発明の意図の範囲内に留まることを注記しておく。非限定的な例において、管５１２、５６２が、システムのカートリッジベース部材５０２、５５２の内部に実装される。
【００３６】
図６に移り、本出願の教示にかかる水素発生システム６００の別の実施形態が示される。ここで、このシステムも、図５Ａおよび５Ｂと関連して記載されるような水平方向のプロフィールで示される。しかし、実質的にまっすぐである代わりに、この実施形態は、本発明のシステムを、デバイスの周囲を包むように、またはヒトを包むように（すなわち、ベルト構造の形態で）、外形に沿った形状で開発してもよいことを示す。従って、この実施形態において、カートリッジベース部材６０２および加水分解機６０４は、円弧形態で示され、例えば、水貯蔵部または供給部６０６が、カートリッジベース部材６０２に接続し、特定の実施形態において、ポンプ６０８および制御部６１０が場合により提供される。水貯蔵部または供給部６０６からの水は、水輸送管６１２（カートリッジベース部材６０２の内側に作られる）を介し、カートリッジベース部材６０２に移動する。上の実施形態で同様に記載されるように、輸送管は、開口部６１４を備える（しかし、管６１２が内部にあるため、カートリッジベース部材６０２の開口部と合うことは必要ではない）。水がカートリッジベース部材６０２の内側に入るにつれて、加水分解可能なヒドリドゲル６１８と相互作用する。これらの反応によって、加水分解機６０４で水素ガスが生成する。発生した水素ガスは、出口６２０を介して出て行ってもよい。上述の実施形態と共に述べたように、当業者の技術に従って、この特定の実施形態に対する変形が行われてもよい。
【００３７】
上に示すシステムによれば、一般的に示されるのは、加水分解ユニットに接続する軽量の使い捨てまたは使い捨てではないカートリッジに含まれる加水分解可能なヒドリドゲルである。水と接触すると、加水分解可能なヒドリドゲルが反応し、水素ガスを発生し、次いで、この水素ガスが、水素系のエネルギー発生機（例えば、燃料セルまたは内燃機関）に供給され、電力が発生する。図に記載される特定の成分は、加水分解可能なヒドリドゲルカートリッジ中に保持される加水分解可能なヒドリド材料（粒子および平板など）で構成される加水分解可能なヒドリドゲルと、加水分解ユニットおよびこのユニットのための付随する制御部と、発生する水素ガスを消費する水素系のエネルギー発生機とを含む。
【００３８】
少なくとも図１Ｂと関連して記載されるように、図３、４Ａ、４Ｂ、４Ｃ、５Ａ、５Ｂおよび６のそれぞれの実施形態およびこれらの実施形態の変形例が、再利用するフィードバックおよび冷却ループを実装することも理解すべきである。
【００３９】
（ａ）加水分解可能なヒドリドゲル
加水分解可能なヒドリドゲルは、懸濁物マトリックス（例えば、限定されないが、ポリマーマトリックス）に分散した加水分解可能なヒドリド粒子からなる。
【００４０】
本明細書で使用される場合、「粒子」は、限定されないが、粉末、平板などを含め、加水分解可能なヒドリド材料が見いだされ得る任意の形態を含むことが理解される。
【００４１】
（ａ．１．）金属ヒドリド
特定の種類の加水分解可能なヒドリドとして、金属ヒドリドが含まれる。水と反応するとき、金属ヒドリドの水素発生能力は際だっている。水素ガスの半分が金属ヒドリドから生じ、一方、他の半分は、ヒドリドと反応する水から得られる。例えば、１ｋｇの水素化ホウ素リチウム（ＬｉＢＨ４）は、０．３７ｋｇの水素を生成し、この値は、同じ体積の高圧水素タンクを用いて可能な密度よりも約１５倍高い。他のヒドリド候補物質としては、限定されないが、水素化カルシウム（ＣａＨ２）、水素化ナトリウム（ＮａＨ）および水素化ホウ素ナトリウム（ＮａＢＨ４）が挙げられ、その特徴は、図７の表７００に示され、圧縮された水素ガスと比較して、種々の金属ヒドリドの水素ガス発生効率を示す。さらに一般的に、加水分解可能なヒドリドは、標準的または従来の金属ヒドリドまたは金属水素化ホウ素物を含むことも理解されるだろう。ある種の特定の適切な従来の金属ヒドリドとしては、水素化リチウム、水素化ナトリウム、水素化カリウム、水素化ベリリウム、水素化マグネシウム、水素化カルシウム、水素化リチウムアルミニウム、水素化ナトリウムアルミニウムが挙げられる。
【００４２】
特定の金属水素化ホウ素物としては、水素化ホウ素リチウム、水素化ホウ素ナトリウム、水素化ホウ素カリウム、水素化ホウ素マグネシウム、水素化ホウ素ベリリウム、水素化ホウ素カルシウム、水素化ホウ素アルミニウム、水素化ホウ素チタン、水素化ホウ素亜鉛、水素化ホウ素マンガン、水素化ホウ素アンモニウム、水素化ホウ素リチウムアンモニウム塩、水素化ホウ素リチウム二アンモニウム塩、水素化ホウ素マグネシウム二アンモニウム塩、水素化ホウ素マグネシウム六アンモニウム塩が挙げられる。
【００４３】
本出願の反応によって作られる水素の流れを制御するための特定のパラメータは、加水分解可能なヒドリドの粒径および形状である。粒径および形状の変化によって、ヒドリドの正の表面積と体積の比率を調整することができ、従って、粒子の反応性を調整することができる。水と反応したら、粒子表面は、不溶性反応生成物によってゆっくりと不動態化される。加水分解可能なヒドリドを覆うこの層が十分に厚い場合、粒子コアへのさらなる水の接近を遮断することによって、反応を遅らせるか、または悪化させるか、または完全に止めると予想される。しかし、特定の実施のために適切に粒子を成形し、大きさを変えることによって、加水分解可能なヒドリド粒子が不動態化される前に、加水分解可能なヒドリド燃料を完全に消費することができる。複数のパラメータを使用し、粒径および保護コーティングの構造を用い、反応速度を制御してもよい。限定されないが、特定の実施形態において、加水分解可能なヒドリド粒子の形状は、ほぼ球形であってもよく、いくらか長細く、線状であってもよく、多段階の表面を有していてもよく、有していなくてもよい。特定の実施形態において、粒径に対する表面積の比率は、加水分解可能なヒドリドが可能な限り多く反応するように、可能な限り大きい。特定の実施形態について、粒子の粒径は、その主要な軸に沿って、以下の範囲から選択されてもよい。１０ナノメートル〜５ミリメートル、または１００ミクロン〜３ｍｍ、または１５０ミクロン〜２ミリメートル。さらに特定の実施形態において、限定されないが、ゲルカートリッジの中の進行しつつある水から、反応する粒子を分離する、ゲル内の加水分解可能なヒドリドを覆う保護層（例えば、ポリマー）の厚みは、以下の範囲であってもよい。１ナノメートル〜１０ミクロン、１０ナノメートル〜１マイクロメートル、５０ｎｍ〜１マイクロメートル。ゲル構造の中の隣接する加水分解可能なヒドリド粒子が、互いに接触するとき、好ましいコーティングの厚みは、外側の粒子の上にある層の厚みを指す。これに加え、保護コーティングの厚みの組成および空隙率は、反応率を制御するために変えてもよい。粒子は、粒径および形状において単分散の分布を有していてもよい。または、粒子は、粒径および形状において多峰性の分布を有していてもよく、または非常に広い分布を有していてもよい。
【００４４】
（ａ．２．）ポリマー材料
限定されないが、金属ヒドリドおよび金属水素化ホウ素物を含め、特定の種類の加水分解可能なヒドリドに水を直接加えることは、水との激しい反応性のため、爆発および発火の可能性が高いため、安全ではないだろう。本出願のポリマー材料の導入は、反応を調整し、安定かつ制御された水素ガスの流れを作り出し、安全な取り扱いを可能にする。
【００４５】
徐々に膨潤していくゲルに水が浸透するにつれて、水素ガスを発生しつつ、特定の加水分解可能なヒドリド粒子が反応し、消費される。析出する反応生成物（例えば、限定されないが、金属水酸化物および金属メタホウ酸塩）は、初期の加水分解可能なヒドリド粒子と置き換わる粒子として、実際に、ゲル構造内の所定の位置に留まる。従って、ポリマーゲルは、粒子が、未反応の加水分解可能なヒドリド粒子を水が通過するのをさらに妨げ得る上部の不溶性不浸透性の層として沈殿するのを防ぐ。ポリマーゲルマトリックスコンポジットの膨潤によって、さらなる水分子が、カートリッジの深さ方向に次の粒子に接近しやすくなる。比較のために、液体の水素化ホウ素ナトリウム系において、その析出するナトリウムメタホウ酸塩反応生成物が蓄積し、溶液が反応場所にさらに接近するのを妨げ、水素の流れをゆっくりにする効果を有する。従って、加水分解可能なヒドリドゲル材料は、水が接近する制御材料であり、複数の加水分解可能なヒドリド粒子への接近を制御する。
【００４６】
ポリマー材料のための特定の配合要求は、選択される加水分解可能なヒドリドの存在下、反応性をもたないことを必要とすることである。従って、高度に反応性のプロトン基（例えば、アルコール（−ＯＨ）または酸（−ＣＯＯＨまたは−ＳＯ３Ｈ））を組み込んだポリマー材料は、水と同じ様式で加水分解可能なヒドリド（例えば、限定されないが、金属ヒドリドおよび金属水素化ホウ素物）と強く反応するため、除外される。
【００４７】
加水分解速度を制御するための本出願の手法は、一実施形態において、両親媒性（親水性−疎水性）コポリマーを含む配合物を使用することである。疎水性材料の内容物の使用が多いほど、加水分解可能なヒドリド粒子への水の接近が制限される。従って、疎水性材料の内容物を使用し、発生する水素の流れを制御する。特定の実施のための性能は、親水性ポリマーと疎水性ポリマーの網目構造の鎖を調整することによって、最適の安定性および出力を達成するために細かく調整される。言い換えると、疎水性親水性材料の使用によって、水と、加水分解可能な水和物粒子とを制御された（例えば、時間制御された）様式で相互作用させ、長時間、水素反応を継続させる。親水性成分は、特定の実施形態において、限定されないが、水混和性の材料群、例えば、ポリエーテル、ポリエチレンオキシド、ポリビニルピロリドン、ある種のポリウレタンなどから選択することができる。疎水性成分は、限定されないが、水と不混和性の炭化水素内容物を多く組み込んだ材料群から選択することができる。適切な疎水性成分としては、ポリエチレン、ポリアクリル酸アルキル、ポリメタクリル酸アルキル、芳香族置換されたポリマー、例えば、スチレンおよび置換スチレン基などが挙げられる。
【００４８】
ポリマーの種類および方法
これに限定されないが、ポリマー材料を提供することが可能ないくつかの形態を以下に記載する。第１に、ゲル材料は、両親媒性コポリマー、すなわち、２種類以上の異なる繰り返し構造単位からなり、この単位が、親水性材料と疎水性材料の混合物であるポリマーであってもよい。この場合に、このようなあらかじめ製造したコポリマーを、適切な溶媒に溶液として加える。溶媒を蒸発させ、固体のゲル材料を得る。多くの両親媒性コポリマーが市販されている。上に開示される設計規則に基づき、コロイド化学に使用される固体状態の材料である界面活性剤および分散剤のほとんどが、種々の含有量の親水性／疎水性成分を含有するため、ゲル製造に使用することもできる。適切な両親媒性ポリマー、例えば、ポリエチレン−ブロック−ポリ（エチレングリコール）およびポリ（エチレングリコール）−ブロック−ポリ（ε−カプロラクトン）メチルエーテルが市販されている。親水性ポリマー成分と疎水性ポリマー成分の種類および長さを調整し、親水性／疎水性内容物を変え、粒子−ポリマー界面に影響を与え、従って、水中のゲルの膨潤挙動を制御することによって、特定的に選択される加水分解可能なヒドリドの反応性を制御することができる。
【００４９】
第２に、異なるポリマー前駆体（親水性および疎水性）、すなわち、後で加水分解可能なヒドリドゲルと共に硬化させ、重合させてコンポジット材料を調製するモノマーを混合することによって、ポリマー材料を製造することができる。開始剤を添加することによって重合を行うことができ、開始剤は、特に、例えば、熱開始剤、例えば、過酸化ベンゾイルおよびＡＩＢＮであってもよく、または光開始剤、例えば、ＢＡＳＦ／ＣＩＢＡから入手可能なＩｒｇａｃｕｒｅシリーズであってもよい。モノマーは、広範囲の材料から選択されてもよい。図８の絵８００によって示されるモノマー混合物の重合によって、例えば、適切な両親媒性コポリマーを生成する。モノマーは、単官能または多官能（１個より多い重合可能な基を含む）であってもよい。モノマーは、図８に示されるもののように、純粋に疎水性または親水性であってもよく、または両親媒性（親水性／疎水性基を両方とも含む）であってもよい。最終的な結果は、両親媒性の固体ポリマーコンポジット材料である。
【００５０】
適切な親水性モノマーとしては、限定されないが、ポリエチレングリコールジアクリレート、Ｎ，Ｎ−ジメチルアクリルアミド、１−ビニル−２−ピロリドン、高度にエトキシル化されたビスフェノールＡジアクリレートが挙げられる。適切な疎水性モノマーとしては、限定されないが、ポリウレタン、炭化水素、ポリエーテルおよびポリエステルの多官能アクリレート、例えば、モノ−、ジ−、トリ−、テトラ−、ペンタ−またはヘキサ−アクリレートが挙げられる。多くの単官能モノマーおよび多官能モノマーは、例えば、Ｓａｒｔｏｍｅｒ−Ａｒｋｅｍａ  Ｇｒｏｕｐから市販される。
【００５１】
一実施形態において、ポリマー材料は、水中で膨潤するような様式で選択される。水が入り込むポリマー材料の部分（「ポリマーのこのセグメントは溶解する」）が存在するが、不溶性の別のセグメントも存在する。全体として、この系は膨潤するが、真の意味では溶解しない。これは、水素の流れの生成を制御するのに有用な独特の特徴である。特に、すべてのポリマーが溶解する場合、すべての不溶性の加水分解可能なヒドリド加水分解生成物が沈降し、未反応の加水分解可能なヒドリド粒子への水のさらなる接近を遮断し、反応をゆっくりにし、これは望ましい結果ではない。
【００５２】
ゲルの調製
これに限定されないが、ゲルの調製手法は、あらかじめ作られた型に複数の加水分解可能なヒドリド粒子を入れることを含む。ポリマー材料、例えば、ポリマー前駆体または液体（必要な両親媒性の配合物を含み、加水分解可能なヒドリドゲルを調整する）を型に吹き込む。次いで、加水分解可能なヒドリド粒子とポリマー材料を混合し、ある実施形態において、粒子間のギャップを埋める。一般的な攪拌装置（例えば、オーバーヘッドスターラー）および当業者が知っていると思われる他の攪拌装置を用い、混合を行う。その後、硬化操作を行い、ポリマー材料を硬化させ、固体のポリマーコンポジット材料を製造する。加熱によって、または硬化光を照射することによって、多くの既知のデバイスおよび方法によって硬化を行ってもよい。上の記載において、吹き込む工程と、入れる工程は少なくとも逆にしてもよい。
【００５３】
別の手法において、加水分解可能なヒドリド粒子を型の中の特定の位置に入れ、維持し（当業者に知られているように）、その後、（必要な両親媒性配合物を含む）液体ポリマーまたはポリマー前駆体を、粒子を覆うのに十分な量になるまで注入する。この場合に、加水分解可能な粒子が型の中の元々の位置から移動する混合は行われない。また、液体ポリマーまたはポリマー前駆体は、ポリマーの親水性成分および疎水性成分の少なくとも一部の位置が、加水分解可能なヒドリド粒子の少なくとも一部に対して所定の位置にあるような制御された様式で型に注入される。このプロセスによって、加水分解可能なヒドリドゲルをさらに調整する（図１３を参照）。硬化によって、使用する準備ができた最終的な固体状態のゲルが得られる。
【００５４】
（ｃ）加水分解ユニットおよびカートリッジ
加水分解機は、水素の製造が起こる場所である。図９に示される加水分解ユニット２１０とカートリッジベース部材２０６の組み合わせ９００は、加水分解ユニットの概念的な実施形態を表す。しかし、望ましい結果を達成するために、多くの異なる設計を使用してもよいことを理解すべきである。加水分解ユニット２１０は、使い捨てのカートリッジ（または単一の加水分解機−カートリッジの組み合わせとして構成される）２０６に接続し、水を加え、水素系のエネルギー発生機への気体の流れを制御し、気体の流れの経路を定め、反応によって発生する熱を管理するために、単純なでこぼこした安全なデザインを含む。燃料セルと共に使用されるとき、１つの設計選択肢は、図３に示されるように、加水分解ユニット２１０に反応剤が供給されるにつれて、燃料セルによって生成した水蒸気を再利用することを含む。この解決策によって、エネルギー密度が増加する。
【００５５】
図９のスナップ接続部を有する加水分解機のゲルカートリッジの組み合わせ９００を有する模式的な構造の加水分解ユニットは、図２の加水分解可能なヒドリドゲル２０８を含むカートリッジベース部材のさらに詳細な図を含む。
【００５６】
図９を引き続き参照すると、画像の切断のため、図２の第２の投入口は示されていないことを注記しておく。図９に示されるように、加水分解可能なヒドリドゲル２０８は、既に記載したカートリッジベース部材２０６の中に配置される。図９において、水９０２は、加水分解機２１０の水部分９０４の中にある加水分解可能なヒドリドゲル２０８の上部に配置されるか、または与えられることが示されているが、これは単なる１つの選択肢であり、代替的な実施形態において、加水分解機の底部および側面を含む他の位置に水が与えられ、複数の接近点によって与えられてもよいことが理解されるべきである。この水領域９０４は、加水分解機２１０への水の供給を制御するシステムの水貯蔵部とは別個の概念であることも理解すべきである。
【００５７】
水と、加水分解可能なヒドリドゲルとの相互作用に起因して反応が起こるため、水素ガス（泡として示される）９０６は、加水分解機２１０の上側部分に向かって移動し、次いで、既に記載したように、出口２１６から外に移動する。図９の絵も、入口２１２（２１４は図示せず）および出口２１６に関連する任意の態様を示していることを理解すべきである。例えば、加水分解機２１０の上側部分に浸透する水素ガスが、入口２１２（２１４）から出ないように止める監視弁の配置９１０が、入口と共に含まれていてもよい。例えば、これは、一方向の監視弁９０８または他の逆流制御器であってもよい。出口２１６の場合と同様に、弁９１０は、発生する水素ガスおよび水素エネルギー発生機の必要性に依存して開閉するように操作してもよい。弁は、オン−オフ弁、または出て行く水素ガスの量を制限するために特定の割合まで開放する弁であってもよい。これらの弁は、特定の実施形態において、手動で制御されるか、または、当該技術分野で十分に理解されるように、制御部２２４、２２６のような自動化された制御部によって制御される。
【００５８】
上述のように、図９に示される加水分解機と加水分解可能なヒドリドゲルカートリッジベース部材の組み合わせ９００は、本明細書に記載される制御された水素を発生するシステムの単純な１つの構造である。他の設計を使用してもよいことが理解される。
【００５９】
特定の場合に、図１０に注目し、示されるカートリッジベース部材１０００は、カートリッジベース部材の壁に経路１００２、１００４、１００６を有するように設計される。ゲルがカートリッジベース部材の側壁に密に接しているため、水が、実質的にその上側表面で単に加水分解可能なヒドリドゲルと接触する図９に示される実施形態とは対照的に、これらの経路は、生成する加水分解可能なヒドリドゲル構造の間に空間を与え、生成したゲルの側面に沿って加水分解可能なヒドリドゲルに水が接近する。
【００６０】
一方、図１０のカートリッジベース部材１０００において、接続した加水分解機（例えば、２１０）に水が導入されると、水は、（カートリッジベース部材１０００の内側にある）経路１００２、１００４、１００６に入る。この経路は、特定の実施形態において、添加される水の量を考慮して大きさが定められ、その結果、水は、最初は、少なくとも部分的に水を用いて経路を満たす。この構造および操作によって、ゲル材料（例えば、２０８）の側面および底部に接近する。
【００６１】
この観点で代替的な概念は、図１１の加水分解可能なヒドリドゲル材料１１００によって示され、型１１０８を使用することによってゲル材料が作られ、ゲル自体が経路１１０２、１１０４、１１０６を有するゲルが得られる。この実施形態において、この場合も、水が、加水分解機、すなわち、カートリッジベース部材の組み合わせ（型に入ったゲル１１００を含むカートリッジベース部材と、平坦な壁を有する、例えば、ベース部材２０２などのベース部材との）に導入されると、水は、単に上部表面ではなく、ゲル配合物の複数の部分または領域に接近するだろう。特定の実施形態において、ゲルの型１１００が、カートリッジベース部材１０００の内側に配置されてもよいことを理解すべきである。さらに、上述のものは、ある具体的な型に入ったゲル１１００を示し、代替的な型の形態も実施することができる。
【００６２】
図１２に移り、孔１２０２、１２０４を含むように構築されたゲル配合物１２００の一部が示されている（ここに黒色の塗りつぶした点として示されているすべての孔は、観察および理解を容易にするために番号付けされていない）。孔の粒径、深さおよび位置を制御することで、加水分解反応の速度を制御する際の設計の自由度を与える。一実施形態において、孔１２０２は、実際に、水が、（粒径に依存して）加水分解可能なヒドリド粒子（例えば、１２０６、１２０８）に迅速に接近するような経路として設計されてもよい（観察および理解を明確にするために、すべての加水分解可能なヒドリド粒子に番号は付けられていない）。従って、作られる孔または経路の大きさに依存して、加水分解可能なヒドリド粒子に水が接近する速度を制御することができ、小さな経路または孔は、プロセスを遅らせ、大きな経路または孔は、プロセスの速度を上げることが理解される。
【００６３】
図１３に移ると、成型プロセスを使用することによって作られた、加水分解可能なヒドリドゲル１３００の一部が示されている。理解のために、要素１３０２Ａ、１３０２Ｂ、１３０２Ｃは、整列した加水分解可能なヒドリド粒子であり、コーティングされていてもよく、またはコーティングされていなくてもよい（コーティングについては、以下の図１４と関連する記載を参照）。いずれかの場合において、これらの粒子は、型の中の特定の位置に配置され、その後、型は、空隙または経路１３０４、１３０６、１３０８を生成する構造を含む。これらの経路は、もっと疎水性が高い材料で構成される１３１０および１３１２のような経路ではない領域とは対照的に、非常に親水性の高い材料で満たされる。
【００６４】
この種の構造によって、水と、加水分解可能なヒドリド粒子との間の相互作用を調整し、タイミングをはかることができる。一例において、経路１３０４は、経路１３０６が最も近い粒子１３０２Ｂに対するよりも粒子１３０２Ａにさらに近いことを注記しておく。この理解において、経路１３０４に近い粒子の反応は、経路１３０６に近い粒子１３０２Ｂの反応が起こる前に起こるだろう。さらに、経路１３０８は、水と、加水分解可能なヒドリド材料との間の反応が起こる時間を細かく調整するための経路の代替的な構造が可能であることを単に強調するために、別個の配置として示されている。
【００６５】
加水分解反応が起こると、顕著な熱が発生することも理解すべきである。上述のように、水は、燃料セルの操作に使用される場合、さらなる反応のために再生され、再利用されてもよい。例えば、水は、水素の連続した変換のための連続的な操作のために再生される。これを元々使用されていた同じカートリッジに使用してもよく、または、元々のカートリッジを使い切ったとき、新しいカートリッジを所定場所に移動したときに、この水を反応に使用し、連続的な再利用操作が得られる。
【００６６】
燃料セルから得られる水の代替的な使用において、この水は、冷却目的のために加水分解機に戻るように供給される。図１Ｂに示されるように、水は、加水分解機の外側にある経路に移動し、水冷却ジャケットまたは熱交換器を与え、水素製造反応によって発生する熱を減らしてもよい。
【００６７】
水蒸気分離膜
完全に一体化されたシステムは、水分離膜を組み込み（図１Ｂおよび３を参照）、水素製造反応によって発生する熱によって生じ得る水蒸気が水素貯蔵ユニットに入り込むのを防ぐ。水素供給中の過剰な湿度は、燃料セルの性能を下げるだろう。適切な蒸気相脱水膜は、水蒸気を気体の流れから選択的に分離することができる中空の繊維膜からなる。ＰＥＥＫ−ＳＥＰ（商標）膜は、ＰｏｒｏＧｅｎ（ウーバン、ＭＡ）から市販されている。
【００６８】
ほんのわずかな量の水を一度に使用することも注記しておく。従って、例えば、元々の操作で１リットルの水が使用される場合、この１リットルは、水素燃料セルから出て再生されるだろう。次いで、この１リットルが、さらなる加水分解操作のため、または冷却操作のために、加水分解機に戻り、これは実質的に同じリットル数の水である。従って、元々使用した水の９０％より多く、さらに具体的には、９５％より多くが、加水分解機に再び供給されてもよい。次いで、いずれかの状況について、必要な場合に実質的に連続的に供給する水の再循環が存在する。
【実施例】
【００６９】
実施例１
平板形状のポリマーコンポジット材料を以下のように調製した。４ｇのＳＲ  ９０３８液体モノマー（Ｓａｒｔｏｍｅｒ製の高度にエトキシル化されたビスフェノールＡジアクリレート）を、１ｇの水素化カルシウム粉末および０．２ｇの光開始剤（ＰＬ−ＷＨＴ）と室温で５分間混合した。標準的なドクターブレード手順を用い、コーティングを製造した。ＵＶ光を３分間照射することによって、コーティングされた膜を硬化させた。図１４を見ると、絵１４００は、水素のゆっくりとした放出を示すために、水中に入れられた平板形状のポリマー／水素化カルシウムコンポジット材料を示す。図１４に示されるように、この材料は、安全に取り扱われ、水中に入れられると、水素のゆっくりとした流れを生成する。
【００７０】
実施例２
０．５ｇの水素化カルシウム粉末をガラスバイアルに入れた。別個の容器中、１０ｇのアクリレートモノマー（Ｓａｒｔｏｍｅｒ製のＳＲ  ９００３Ｂ）および２００ｍｇの過酸化ベンゾイル（Ｓｉｇｍａ  Ａｌｄｒｉｃｈ製の熱ラジカル重合開始剤）を混合し、超音波処理することによって、硬化可能なプレポリマー混合物を調製した。水素化カルシウム粒子を吹き込んだ後に完全に覆うように、この液体混合物０．７０ｇを第１のバイアルに加えた。このバイアルを減圧下、８０℃に加熱し、硬化させる。最終的な生成物は、固体ポリマー／水素化カルシウムゲルコンポジットペレットである。この材料の少量を切り出し、水に入れる。このゲルは、１５秒間、制御されたゆっくりとした速度で水素の泡を生成した。比較のために、同じ量の純粋な水素化カルシウム粉末を水に入れると、全量の水素がすぐに発生する（加水分解の完了まで１〜２秒）。
【００７１】
上述のシステムおよび方法は、多くの状況、例えば、軽量であることが有用な状況、例えば、ＵＡＶ（ドローン）の電力のための電力溶液を与える。小荷物の配達、防災用品の輸送、土壌の品質、灌漑効率または植物の成長を監視するための農業用センサ、交通制御、または同様の用途のような用途のために、商業的なドローンが開発されている。他の用途としては、バックアップ発電機のための電力、軍事用電力、遠征用電力およびロボットシステムのための電力が挙げられる。特に、完全に一体化されたシステムは、今日使用されるＬｉイオン電源と比較すると、ドローンの飛行のために他に例をみない性能の利益を有するだろう。ドローン運搬用途のために、Ｌｉイオン電池の代わりに提案された加水分解可能なヒドリドゲルシステムを使用すると、ドローンの有効加重を４倍、飛行範囲を約２倍増加させることができ、これは、エネルギー節約が可能なドローンの重量減少によって達成される。
【００７２】
上述のシステムの態様は、以下を含む。（ｉ）Ｌｉイオン電池、水または熱によって加水分解可能なヒドリドと比べて、比（質量）エネルギー密度が高い体積密度の利点を有し、（ｉｉ）圧縮された水素よりも高い体積密度、（ｉｉｉ）ガソリンまたは水素と比較したとき、火および爆発に安全であり、（ｉｖ）軽量であることが重要な用途のための理想的な電源であり、（ｖ）音響シグネチャが低い。
【図１Ａ】
2017001939.tif 000003
【図１Ｂ】
2017001939.tif 000004
【図２】
2017001939.tif 000005
【図３】
2017001939.tif 000006
【図４Ａ】
2017001939.tif 000007
【図４Ｂ】
2017001939.tif 000008
【図４Ｃ】
2017001939.tif 000009
【図５Ａ】
2017001939.tif 000010
【図５Ｂ】
2017001939.tif 000011
【図６】
2017001939.tif 000012
【図７】
2017001939.tif 000013
【図８】
2017001939.tif 000014
【図９】
2017001939.tif 000015
【図１０】
2017001939.tif 000016
【図１１】
2017001939.tif 000017
【図１２】
2017001939.tif 000018
【図１３】
2017001939.tif 000019
【図１４】
2017001939.tif 000020